(57)【特許請求の範囲】
【請求項１】
つまみネジのつまみ部分の外周に設けられたネジ側面ファスナーと、長手方向の一端側が該つまみネジのネジ側面ファスナーに着脱自在に係合させると共に、長手方向の他端側が固定部に係合されることでつまみネジの緩みを防止する連結面ファスナーを、備えることを特徴とするつまみネジ緩み防止機構。
【請求項２】
前記つまみネジと、該つまみネジの締め付け方向に位置する固定部との間に張設され、係合される前記連結面ファスナーを備えることを特徴とする請求項１に記載のつまみネジ緩み防止機構。
【請求項３】
緊締されている複数のつまみネジを備え、各つまみネジのつまみ部分の外周にはネジ側面ファスナーが設けられ、隣接する２つの前記つまみネジは互いに接触することのないほどの距離を隔てて同一被螺合物に螺着されており、長手方向の一端側が隣接する一方のつまみネジのネジ側面ファスナーに着脱自在に係合されると共に、長手方向の他端側が２つの隣接するつまみネジの他方に設けられたネジ側面ファスナーに着脱自在に係合する連結面ファスナーをさらに備え、両者の締め付け方向が同一方向の場合は、連結面ファスナーを平面視略Ｓ字状または略逆Ｓ字状に該つまみネジ２つに架け渡し係合させ、締め付け方向が互いに逆方向の場合は、連結面ファスナーを平面視略Ｃ字状または略逆Ｃ字状に該つまみネジ２つに架け渡し係合させることを特徴とするつまみネジ緩み防止機構。
【発明の詳細な説明】
【技術分野】
【０００１】  本発明は、螺合したつまみネジの緩みを防止するつまみネジの緩み止めに関するものである。
【背景技術】
【０００２】  従来、特許文献１のように、振動や外力等が作用することによる喋ナットの緩みを防止することができ、しかも、緩み止めのための加工が少なく、作製し易い喋ナットの緩み止め具がある。【０００３】  また、非特許文献１にあるダブルツイストワイヤ法のように、ボルトの側面に穴を開けて、その穴にワイヤを通し、他の部品やボルト同士を結び付けることでボルトの回転止めや脱落を防止する装置がある。
【先行技術文献】
【特許文献】
【０００４】
【特許文献１】特開２０１６−２０５６０９号公報
【非特許文献】
【０００５】
【非特許文献１】門田和雄、「ねじ基礎のきそ」、日刊工業新聞社、２００７年、ｐ．９２
【発明の概要】
【発明が解決しようとする課題】
【０００６】  特許文献１は、ボルトに螺着した喋ナットの緩み止めに関する発明である。【０００７】  非特許文献１は、ボルトの緩み止めの装置であって、ボルトの側面に穴を開けるなど、装置の製作に手間がかかるうえ、手回しで容易に緩み留めの着脱ができない。【０００８】  本発明は、振動や外力が作用することによるつまみネジの緩みを防止することができ、かつ、緩み止めの設定・解除が人の手で容易に行え、緩み防止機構の作製も容易にできるつまみネジ緩み防止機構を提供する。
【課題を解決するための手段】
【０００９】  前記課題を解決し、かつ目的を達成するために、この発明は、以下のように構成した。【００１０】  請求項１に記載の発明は、つまみネジのつまみ部分の外周に設けられたネジ側面ファスナーと、該つまみネジのネジ側面ファスナーに着脱自在に係合させると共に固定部との間においてつまみネジの緩みを防止する連結面ファスナーを、備えることを特徴とするつまみネジ緩み防止機構である。【００１１】  請求項２に記載の発明は、前記つまみネジと、該つまみネジの締め付け方向に位置する固定部との間に張設され、係合される前記連結面ファスナーを備えることを特徴とする請求項１に記載のつまみネジ緩み防止機構である。【００１２】  請求項３に記載の発明は、緊締されている前記つまみネジ２個が、互いに接触することのないほどの距離を隔てて同一被螺合物に螺着されており、両者の締め付け方向が同一方向の場合は、連結面ファスナーを平面視略Ｓ字状または略逆Ｓ字状に該つまみネジ２つに架け渡し係合させ、締め付け方向が互いに逆方向の場合は、連結面ファスナーを平面視略Ｃ字状または略逆Ｃ字状に該つまみネジ２つに架け渡し係合させることを特徴とする請求項１に記載のつまみネジ緩み防止機構である。
【発明の効果】
【００１３】  前記構成により、この発明は以下のような効果を有する。【００１４】  本発明によれば、振動や外力等の作用よって発生する、つまみネジの緩みを防止する機構の設定・解除が、人の手で容易に行え、また、本緩み防止機構も作製し易い。
【図面の簡単な説明】
【００１５】
【図１】第１実施形態の正面図である。
【図２】第１実施形態の部分断面図である。
【図３】第２実施形態の正面図である。
【図４】第２実施形態の部分断面図である。
【図５】他の連結面ファスナーを使った、図４と同様の図である。
【図６】第３実施形態の正面図である。
【図７】第４実施形態の正面図である。
【図８】第５実施形態の正面図である。
【図９】第６実施形態の正面図である。
【発明を実施するための形態】
【００１６】  以下に述べる実施形態例は、被螺合物であるパイプ４と、パイプ４に挿入された被圧着物であるパイプ５から成り、パイプ４またはパイプ５は、相対的に上下に移動、または回転できる構成になっている。
【００１７】  （実施形態例１）
実施形態例１は、図１のように、パイプ４の表面に螺刻された螺孔に、外周にネジ側面ファスナー１ａを固着されたつまみネジ１を螺回し、図２の断面図のようにパイプ４を螺貫したのち、パイプ５の表面につまみネジの先端部を到達させる。上記螺締されたつまみネジ１に、図１のように連結面ファスナー３を係合していき、該連結面ファスナー３を延伸させ、パイプ４の表面の一部６に固着させた例である。なお、パイプ４の固定部６には、予め他の面ファスナーを固着させておいてもよいし、連結面ファスナー３を別の形態で延張させ、パイプ４の固定部６に別の形態で固定させてもかまわない。
【００１８】  （実施形態例２）
図３のように、外周をネジ側面ファスナーで固着されたつまみネジを２個（つまみネジ１、つまみネジ２）、互いに接触することのないほどの距離を隔ててパイプ４の表面に螺刻された螺孔２つに、それぞれ螺回し、図４の断面図のように、パイプ４を螺貫して、パイプ５の表面につまみネジの先端部を到達させ、螺回をそのまま続けるとつまみネジの先端部によってパイプ５は押圧され、螺回が続けられないほど緊締され、パイプ４とパイプ５は互いに固定される。
【００１９】  上記螺締された２つのつまみネジのうち、図３のように、つまみネジ１に、連結面ファスナー３を係合していき、略逆Ｓ字状につまみネジ２に該連結面ファスナー３を架け渡すが、その途中の図４の捻り部７で該連結面ファスナー３を捻り、連結面ファスナー３の表裏を逆にし、そのまま連結面ファスナー３をつまみネジ２の外周に係合させる。
【００２０】  なお、段落００１９で述べたような、連結面ファスナー３を捻って表裏を逆にする方法ではなく、表裏が逆の面ファスナーを図５の連接部８のように、連接させた面ファスナーを用いてもよい。
【００２１】  （実施形態例３）
上記実施形態例２は、段落００１９で述べたように、つまみネジ１およびつまみネジ２に連結面ファスナー３を略逆Ｓ字状に係合したが、この理由は、つまみネジ１とつまみネジ２の両方ともネジの締め付け方向が時計回りであったからである。両方のつまみネジの締め付け方向が共に反時計回りであったら、図６のように、略Ｓ字状に係合する。
【００２２】  （実施形態例４、５）
実施形態例２において、つまみネジ１およびつまみネジ２の締め付け方向が互いに反対方向であった場合は、つまみネジ１およびつまみネジ２に、連結面ファスナー３を図７のように略Ｃ字状、または図８のように、略逆Ｃ字状に架け渡し係合する。この実施例をそれぞれ実施形態例４および実施形態例５とする。なお、略Ｃ字状または略逆Ｃ字状に、連結面ファスナー３をつまみネジ１おび２に係合させるときは、段落００１９で述べたような、連結面ファスナー３の表裏を逆にして係合させる必要はない。
【００２３】  （実施形態例６）
実施形態例６は、図９のように、締め付け方向が時計回りの該つまみネジを３個（つまみネジ１、つまみネジ２、つまみネジ１１）直列に配置し、実施形態例２と同様にして、本緩み防止機構を作製した例である。この場合、つまみネジ２とつまみネジ１１に架け渡す連結面ファスナーは、つまみネジ１とつまみネジ２とに架け渡した連結面ファスナー３を延張するのではなく、別の連結面ファスナー１０を、つまみネジ２とつまみネジ１１に架け渡し、係合する。
【００２４】  同様に、実施形態例３および実施形態例４、実施形態例５についても、それぞれ、つまみネジを３個直列に配置し、連結面ファスナーをそれぞれ追加してそれぞれ実施形態例３および実施形態例４、実施形態例５のように係合させると、３個から成るつまみネジ緩み防止機構を構築することができる。
【００２５】  さらに、同様にして、つまみネジを４個、５個、６個・・・と追加して、同様の実施形態例のように連結面ファスナーを追加架け渡して係合させると、つまみネジ４個、５個、６個・・・から成る、つまみネジ緩み防止機構を構築することができる。
【００２６】  本発明で、つまみネジ１とつまみネジ２の、２つのつまみネジを使用する場合、つまみネジ１とつまみネジ２は大きさや形式の異なるつまみネジであってもよい。たとえば、つまみネジ１はつまみネジ２よりも大きいつまみネジであってもよいし、つまみネジ２の代わりに喋ネジや手回しネジであってもよい。また、つまみネジを３個使用する場合、４個使用する場合、５個使用する場合・・・も同様に、大きさや形式の異なるつまみネジであってもよい。
【００２７】  被螺合物に螺着する２つ以上のつまみネジの配置は、たとえば、被螺合物の同一平面上の縁に平行であってもよいし、垂直であってもよい。
【００２８】  ２つ以上のつまみネジが同一平面上になく、同一立体形上に配置される場合も、本発明のつまみネジ緩み防止機構を構築することができる。
【符号の説明】
【００２９】  １、２、１１        つまみネジ
１ａ、２ａ、１１ａ  ネジ側面ファスナー
１ｂ、２ｂ、１１ｂ  つまみネジのネジ部
３、１０            連結面ファスナー
４                  被螺合物としてのパイプ４
５                  被圧着物としてのパイプ５
６                  固定部
７                  連結面ファスナーの捻り部
８                  連結面ファスナーの連接部
９                  つまみネジの締め付け方向
【要約】
【課題】振動や外力が作用することによるつまみネジの緩みを防止することができ、緩み止めの設定・解除が人の手でも行い易く、また、容易に作製できるつまみネジ緩み防止機構を提供する。
【解決手段】  つまみネジ１のつまみ部分の外周に設けられたネジ側面ファスナー１ａと、該つまみネジのネジ側面ファスナー１ａに着脱自在に係合させると共に固定部６との間においてつまみネジ１の緩みを防止する連結面ファスナー３を、備えることを特徴とするつまみネジ緩み防止機構。
【選択図】図１【図１】
0006697143.tif 000002
【図２】
0006697143.tif 000003
【図３】
0006697143.tif 000004
【図４】
0006697143.tif 000005
【図５】
0006697143.tif 000006
【図６】
0006697143.tif 000007
【図７】
0006697143.tif 000008
【図８】
0006697143.tif 000009
【図９】
0006697143.tif 000010